(57)【要約】【課題】  部品点数の増加等を来たすことなく第１の筐体と第２の筐体の密閉性の向上を図り防水性及び防塵性を確保する。【解決手段】  第１の筐体３と第２の筐体４が結合されて構成されると共に開閉部８、９を有するケース体２と、ケース体に支持され開閉部を開閉する蓋体１８、３０と、第１の筐体と第２の筐体に挟持された状態でケース体に配置されたパッキン１７、２９とを設け、開閉部にリブ１２、２５を設け、蓋体による開閉部の閉塞時に蓋体がリブに接触されて第１の筐体と第２の筐体に両者が密着される方向への締結力が付与されパッキンが第１の筐体と第２の筐体によって押し潰されるようにした。【選択図】        図７
2011259279.tif 000002
【特許請求の範囲】
【請求項１】
第１の筐体と第２の筐体が結合されて構成されると共に開閉部を有するケース体と、
前記ケース体に支持され前記開閉部を開閉する蓋体と、
前記第１の筐体と前記第２の筐体に挟持された状態で前記ケース体に配置されたパッキンとを備え、
前記開閉部にリブが設けられ、
前記蓋体による前記開閉部の閉塞時に前記蓋体が前記リブに接触されて前記第１の筐体と前記第２の筐体に両者が密着される方向への締結力が付与され前記パッキンが前記第１の筐体と前記第２の筐体によって押し潰されるようにした
携帯用電子機器。
【請求項２】
前記リブを前記開閉部の外周部における一部に設けた
請求項１に記載の携帯用電子機器。
【請求項３】
前記第１の筐体又は前記第２の筐体に前記パッキンが挿入されて配置される配置用凹部を形成した
請求項１に記載の携帯用電子機器。
【請求項４】
前記第２の筐体又は前記第１の筐体に前記配置用凹部に挿入されて前記パッキンに押し付けられる挿入用突部を設けた
請求項３に記載の携帯用電子機器。
【請求項５】
前記ケース体に前記蓋体による前記開閉部の閉塞時において前記蓋体を閉塞状態にロックするロック部を設けた
請求項１に記載の携帯用電子機器。
【発明の詳細な説明】
【技術分野】
【０００１】
本発明は携帯用電子機器についての技術分野に関する。詳しくは、蓋体による開閉部の閉塞時に蓋体がリブに接触されパッキンが第１の筐体と第２の筐体によって押し潰されるようにして第１の筐体と第２の筐体の密閉性の向上を図る技術分野に関する。
【背景技術】
【０００２】
携帯電話、音声記録再生装置、画像記録再生装置、撮像装置、情報処理装置、ネットワーク通信装置等の各種の携帯用電子機器には、第１の筐体と第２の筐体によって構成されたケース体とケース体の一部を開閉する蓋体とを有しているものがある（例えば、特許文献１参照）。
【０００３】
携帯用電子機器においては、ケース体の内部に配置された回路基板等の各部を保護するために、防水性及び防塵性を確保してケース体の内部への水分や塵埃の侵入を防止する必要がある。
【０００４】
このような防水性及び防塵性を確保するために、従来の携帯用電子機器においては、第１の筐体と第２の筐体の間にパッキンを配置し第１の筐体と第２の筐体のパッキンに沿った複数の部分をネジ止めによって結合したものがある。
【０００５】
【特許文献１】特開２００３−１４２８４１号公報
【発明の開示】
【発明が解決しようとする課題】
【０００６】
ところが、上記した従来の携帯用電子機器にあっては、第１の筐体と第２の筐体のパッキンに沿った複数の部分をネジ止めによって結合しているため、第１の筐体と第２の筐体のネジ止めした部分の密着性は高いが、ネジ止めした部分間がパッキンの反力によって撓んで浮き上がってしまうおそれがある。
【０００７】
このようなネジ止めした部分間の撓みによる浮き上がりが生じてしまうと、浮き上がった部分から水分や塵埃がケース体の内部に侵入する可能性が生じ、防水性及び防塵性を確保することができなくなってしまう。
【０００８】
従って、防水性及び防塵性を確保するためには、ネジ止めの箇所を増やす必要が生じるが、ネジ止めの箇所を増やすと部品点数が多くなると共にネジ止め作業が増加して作業効率が低下すると言う問題が生じる。
【０００９】
そこで、本発明携帯用電子機器は、上記した問題点を克服し、部品点数の増加等を来たすことなく第１の筐体と第２の筐体の密閉性の向上を図り防水性及び防塵性を確保することを課題とする。
【課題を解決するための手段】
【００１０】
携帯用電子機器は、上記した課題を解決するために、第１の筐体と第２の筐体が結合されて構成されると共に開閉部を有するケース体と、前記ケース体に支持され前記開閉部を開閉する蓋体と、前記第１の筐体と前記第２の筐体に挟持された状態で前記ケース体に配置されたパッキンとを備え、前記開閉部にリブが設けられ、前記蓋体による前記開閉部の閉塞時に前記蓋体が前記リブに接触されて前記第１の筐体と前記第２の筐体に両者が密着される方向への締結力が付与され前記パッキンが前記第１の筐体と前記第２の筐体によって押し潰されるようにしたものである。
【００１１】
従って、携帯用電子機器にあっては、蓋体による開閉部の閉塞時に蓋体を介して第１の筐体と第２の筐体に両者が密着される方向への締結力が付与される。
【００１２】
上記した携帯用電子機器においては、前記リブを前記開閉部の外周部における一部に設けることが望ましい。
【００１３】
リブを開閉部の外周部における一部に設けることにより、蓋体からリブに対して付与される力のロスが小さくなる。
【００１４】
上記した携帯用電子機器においては、前記第１の筐体又は前記第２の筐体に前記パッキンが挿入されて配置される配置用凹部を形成することが望ましい。
【００１５】
第１の筐体又は第２の筐体にパッキンが挿入されて配置される配置用凹部を形成することにより、パッキンのケース体に対する配置状態が安定化する。
【００１６】
上記した携帯用電子機器においては、前記第２の筐体又は前記第１の筐体に前記配置用凹部に挿入されて前記パッキンに押し付けられる挿入用突部を設けることが望ましい。
【００１７】
第２の筐体又は第１の筐体に配置用凹部に挿入されてパッキンに押し付けられる挿入用突部を設けることにより、パッキンが配置用凹部を形成する壁面と挿入用突部によって押し潰される。
【００１８】
上記した携帯用電子機器においては、前記ケース体に前記蓋体による前記開閉部の閉塞時において前記蓋体を閉塞状態にロックするロック部を設けることが望ましい。
【００１９】
ケース体に蓋体による開閉部の閉塞時において蓋体を閉塞状態にロックするロック部を設けることにより、蓋体の閉塞状態が安定化する。
【発明の効果】
【００２０】
本発明携帯用電子機器は、第１の筐体と第２の筐体が結合されて構成されると共に開閉部を有するケース体と、前記ケース体に支持され前記開閉部を開閉する蓋体と、前記第１の筐体と前記第２の筐体に挟持された状態で前記ケース体に配置されたパッキンとを備え、前記開閉部にリブが設けられ、前記蓋体による前記開閉部の閉塞時に前記蓋体が前記リブに接触されて前記第１の筐体と前記第２の筐体に両者が密着される方向への締結力が付与され前記パッキンが前記第１の筐体と前記第２の筐体によって押し潰されるようにしている。
【００２１】
従って、第１の筐体と第２の筐体のネジ止めを行うことなく又はネジ止めの箇所を増やすことなく防水性及び防塵性を確保することができ、部品点数の増加や作業効率の低下を来すことなく第１の筐体と第２の筐体の密閉性の向上を図ることができる。
【００２２】
請求項２に記載した発明にあっては、前記リブを前記開閉部の外周部における一部に設けている。
【００２３】
従って、蓋体からリブに対して付与される力のロスが小さく、防水性及び防塵性を効率よく確保することができる。
【００２４】
請求項３に記載した発明にあっては、前記第１の筐体又は前記第２の筐体に前記パッキンが挿入されて配置される配置用凹部を形成している。
【００２５】
従って、パッキンの配置状態の安定化が図られ、第１の筐体と第２の筐体の一層の密閉性の向上を図ることができる。
【００２６】
請求項４に記載した発明にあっては、前記第２の筐体又は前記第１の筐体に前記配置用凹部に挿入されて前記パッキンに押し付けられる挿入用突部を設けている。
【００２７】
従って、パッキンを容易に押し潰すことができ、第１の筐体と第２の筐体の一層の密閉性の向上を図ることができる。
【００２８】
請求項５に記載した発明にあっては、前記ケース体に前記蓋体による前記開閉部の閉塞時において前記蓋体を閉塞状態にロックするロック部を設けている。
【００２９】
従って、蓋体の閉塞状態が安定化し、一層の防水性及び防塵性の向上を図ることができる。
【発明を実施するための最良の形態】
【００３０】
以下に、本発明携帯用電子機器の実施の形態を添付図面に従って説明する。
【００３１】
以下に示した実施の形態は、本発明携帯用電子機器をビデオカメラに適用したものである。
【００３２】
尚、本発明の適用範囲はビデオカメラに限られることはない。本発明は、音声記録再生装置、画像記録再生装置、ビデオカメラ以外の撮像装置、ネットワーク通信装置、パーソナルコンピューターやＰＤＡ（Personal Digital Assistant）等の情報処理装置等の他の各種の携帯用電子機器に広く適用することができる。
【００３３】
以下の説明にあっては、被写体側を前方とし撮影者側を後方として前後上下左右の方向を示すものとする。
【００３４】
尚、以下に示す前後上下左右の方向は説明の便宜上のものであり、本発明の実施に関しては、これらの方向に限定されることはない。
【００３５】
［携帯用電子機器の全体構成］
携帯用電子機器（ビデオカメラ）１はケース体２の内外に所要の各部が配置されて成り、ケース体２は第１の筐体３と第２の筐体４が結合されて構成され、第１の筐体３の内側に第２の筐体４が配置されている（図１及び図２参照）。ケース体２は外形が、例えば、縦長の略直方体状に形成されている。
【００３６】
ケース体２の側面には複数の操作釦２ａ、２ａ、・・・が配置されている。操作釦２ａ、２ａ、・・・としては、例えば、電源釦、撮影釦、ズーミング釦、各種の機能を実行するための機能釦等が設けられている。
【００３７】
ケース体２の上端部における前端部には撮像部５が設けられ、撮像部５は撮像レンズ５ａを有している。ケース体２の上端部における後端部にはファインダー部６が設けられ、ファインダー部６は図示しない覗き窓を有している。
【００３８】
ケース体２の一方の側面には表示部７が連結されている。表示部７は図示しないディスプレイを有し、ケース体２に対して回動可能かつ回転可能とされている。
【００３９】
ケース体２には、図２に示すように、前面に前方に開口された第１の開閉部８が形成され、後面に後方に開口された第２の開閉部９が形成されている。第１の開閉部８には図示しないメモリーカード等が挿入されて装着され、第２の開閉部９には図示しないバッテリーが挿入されて装着される。
【００４０】
第１の開閉部８は、図３及び図４に示すように、第１の筐体３の前端部に設けられた環状の前側周状部１０と第２の筐体４の前端部に設けられた前側装着部１１とが結合されて成り、前側装着部１１が前側周状部１０の内側に配置されている。
【００４１】
前側周状部１０の前端寄りの位置には内方に開口された環状の配置用凹部１０ａが形成されている（図４参照）。前側周状部１０には受部１０ｂが設けられ、受部１０ｂは配置用凹部１０ａの後端に連続する部分が内方へ突出して設けられている。
【００４２】
前側周状部１０にはリブ１２が設けられている（図３及び図４参照）。リブ１２は前側周状部１０の前面における内周側の端部から前方へ突出して設けられている。
【００４３】
前側装着部１１は前後方向を向くベース部１３とベース部１３の一方の側部から前方へ突出された突状部１４とベース部１３から前方へ突出された環状の壁部１５とを有している。前側装着部１１は、図４に示すように、ベース部１３の後面における外周部が前側周状部１０の受部１０ｂの前面に接し、突状部１４の外面が前側周状部１０の前端部における内面に接し、壁部１５の外面が前側周状部１０の前端部における内面及びリブ１２の内面に接した状態とされている。
【００４４】
ベース部１３の外周面には外方へ突出された環状の挿入用突部１３ａが設けられている。挿入用突部１３ａは前側周状部１０の配置用凹部１０ａに挿入されている。ベース部１３には壁部１５の内側にコネクター孔１３ｂ、１３ｂが形成され（図３参照）、コネクター孔１３ｂ、１３ｂにメモリーカード等が挿入されて接続される。
【００４５】
ベース部１３の前面には上下に離隔して係合突部１６、１６が設けられている。係合突部１６はベース部１３の前面から前方へ突出された基部１６ａと基部１６ａの前端部から直交する方向へ突出されたロック部１６ｂとを有している。
【００４６】
壁部１５には前端部から側方へ突出されたロック部１５ａ、１５ａが上下に離隔して設けられている。
【００４７】
前側周状部１０の配置用凹部１０ａにはゴム等の弾性の高い材料によって形成された第１のパッキン１７が配置されている（図４参照）。第１のパッキン１７は外周面が配置用凹部１０ａを形成する各面と前側装着部１１のベース部１３に設けられた挿入用突部１３ａの先端面とに接した状態とされている。
【００４８】
ケース体２には第１の蓋体１８が上端部を支点として回動自在に支持されている（図３参照）。第１の蓋体１８はカバー体１９とカバー体１９をスライド自在に支持する支持体２０とから成る。
【００４９】
カバー体１９は閉塞状態において上下に長い形状に形成され、略矩形の平板状に形成された閉塞板部１９ａと閉塞板部１９ａの外周部における上端部以外の三辺からそれぞれ略直交する方向へ突出された側部１９ｂ、１９ｂ、１９ｂとから成る。カバー体１９は支持体２０に対して長手方向へスライド可能とされている。カバー体１９の内面側には被ロック部２１、２１、・・・が設けられ、被ロック部２１、２１、・・・はそれぞれ係合片２１ａ、２１ａ、・・・を有している。
【００５０】
支持体２０は連結部２０ａと連結部２０ａの一方の端部に連続するヒンジ部２０ｂと連結部２０ａの他方の端部に連続する密閉用突部２０ｃとが一体に形成されて成り、ヒンジ部２０ｂを支点としてケース体２に回動自在に支持されている。
【００５１】
密閉用突部２０ｃは外形が第２の筐体４における壁部１５の内形と同じ大きさ及び形状に形成され、第１の蓋体１８の閉塞状態において壁部１５の内側に挿入されて配置される。従って、第１の蓋体１８の閉塞状態においては壁部１５の内側に形成されたコネクター孔１３ｂ、１３ｂが密閉用突部２０ｃによって閉塞される。
【００５２】
第１の開閉部８にはヒンジ部２０ｂの近傍に付勢バネ２２が配置され、第１の蓋体１８が付勢バネ２２によって閉塞状態から開放状態へ向かう回動方向へ付勢されている。
【００５３】
第２の開閉部９は、図５及び図６に示すように、第１の筐体３の後端部に設けられた環状の後側周状部２３と第２の筐体４の後端部に設けられた後側装着部２４とが結合されて成り、後側装着部２４が後側周状部２３の内側に配置されている。
【００５４】
後側周状部２３の後端寄りの位置には内方に開口された環状の配置用凹部２３ａが形成されている（図６参照）。後側周状部２３には受部２３ｂが設けられ、受部２３ｂは配置用凹部２３ａの前端に連続する部分が内方へ突出して設けられている。
【００５５】
後側周状部２３にはリブ２５が設けられている（図５及び図６参照）。リブ２５は後側周状部２３の後面における内周側の端部から後方へ突出して設けられている。
【００５６】
後側装着部２４は前後方向を向くベース部２６とベース部２６から後方へ突出された環状の壁部２７とを有している。後側装着部２４は、図６に示すように、ベース部２６の前面における外周部が後側周状部２３の受部２３ｂの後面に接し、壁部２７の外面が後側周状部２３の後端部における内面及びリブ２５の内面に接した状態とされている。
【００５７】
ベース部２６の外周面には外方へ突出された環状の挿入用突部２６ａが設けられている。挿入用突部２６ａは後側周状部２３の配置用凹部２３ａに挿入されている。後側装着部２４の壁部２７における内側の空間はバッテリー装着孔２６ｂとして形成され（図５参照）、バッテリー装着孔２６ｂにバッテリーが挿入されて接続される。
【００５８】
ベース部２６の後面には上下に離隔して係合突部２８、２８が設けられている。係合突部２８はベース部２６の後面から後方へ突出された基部２８ａと基部２８ａの後端部から直交する方向へ突出されたロック部２８ｂとを有している。
【００５９】
壁部２７には後端部から側方へ突出されたロック部２７ａが設けられている。
【００６０】
後側周状部２３の配置用凹部２３ａにはゴム等の弾性の高い材料によって形成された第２のパッキン２９が配置されている（図６参照）。第２のパッキン２９は外周面が配置用凹部２３ａを形成する各面と後側装着部２４のベース部２６に設けられた挿入用突部２６ａの先端面とに接した状態とされている。
【００６１】
ケース体２には第２の蓋体３０が上端部を支点として回動自在に支持されている（図５参照）。第２の蓋体３０はカバー体３１とカバー体３１をスライド自在に支持する支持体３２とから成る。
【００６２】
カバー体３１は閉塞状態において上下に長い形状に形成され、略矩形の平板状に形成された閉塞板部３１ａと閉塞板部３１ａの外周部における上端部以外の三辺からそれぞれ略直交する方向へ突出された側部３１ｂ、３１ｂ、３１ｂとから成る。カバー体３１は支持体３２に対して長手方向へスライド可能とされている。カバー体３１の内面側には被ロック部３３、３３、３３が設けられ、被ロック部３３、３３、３３はそれぞれ係合片３３ａ、３３ａ、３３ａを有している。
【００６３】
支持体３２は連結部３２ａと連結部３２ａの一方の端部に連続するヒンジ部３２ｂと連結部３２ａの他方の端部に連続する密閉用突部３２ｃとが一体に形成されて成り、ヒンジ部３２ｂを支点としてケース体２に回動自在に支持されている。
【００６４】
密閉用突部３２ｃは外形が第２の筐体４における壁部２７の内形と同じ大きさ及び形状に形成され、第２の蓋体３０の閉塞状態において壁部２７の内側に挿入されて配置される。従って、第２の蓋体３０の閉塞状態においては壁部２７の内側に形成されたバッテリー装着孔２６ｂが密閉用突部３２ｃによって閉塞される。
【００６５】
第１の開閉部８にはヒンジ部３２ｂの近傍に付勢バネ３４が配置され、第２の蓋体３０が付勢バネ３４によって閉塞状態から開放状態へ向かう回動方向へ付勢されている。
【００６６】
［蓋体の開閉動作］
以下に、第１の蓋体１８の開閉動作について説明する（図３、図４及び図７参照）。
【００６７】
第１の開閉部８が開放された開放状態から付勢バネ２２の付勢力に抗して第１の蓋体１８を回動していくと、第１の蓋体１８におけるカバー体１９の側部１９ｂ、１９ｂ、１９ｂの先端面が第１の筐体３の前側周状部１０の前面に当接又は近接して位置される。このとき第１の蓋体１８の密閉用突部２０ｃが第２の筐体４の壁部１５に挿入されコネクター孔１３ｂ、１３ｂが密閉用突部２０ｃによって閉塞される。
【００６８】
開放状態から第１の蓋体１８が回動されたときには、カバー体１９の側部１９ｂの内面がリブ１２の外面に摺接し、カバー体１９の他の側部１９ｂの内面が第２の筐体４における突状部１４の外面に摺接する。従って、カバー体１９の側部１９ｂの内面がリブ１２の外面に摺接するため第１の筐体３に設けられたリブ１２が第２の筐体４に設けられた壁部１５に押し付けられ、カバー体１９の他の側部１９ｂの内面が第２の筐体４における突状部１４の外面に摺接するため壁部１５がリブ１２に押し付けられる。
【００６９】
このようにリブ１２と壁部１５は互いに押し付けられて両者が密着される方向への締結力が付与され（図７参照）、第１のパッキン１７が配置用凹部１０ａを形成する各面と挿入用突部１３ａの先端面とによって押し潰される。
【００７０】
次いで、カバー体１９を支持体２０に対して上方へスライドさせていくと、ケース体２に設けられたロック部１５ａ、１５ａ、１６ｂ、１６ｂにそれぞれ被ロック部２１、２１、・・・の係合片２１ａ、２１ａ、・・・が係合される。従って、第１の蓋体１８によって第１の開閉部８が閉塞され、第１の蓋体１８が閉塞状態においてロックされる。
【００７１】
第１の蓋体１８が閉塞状態においてロックされたときには、リブ１２と壁部１５に両者が密着される方向への締結力が付与された状態と、第１のパッキン１７が配置用凹部１０ａを形成する各面と挿入用突部１３ａの先端面とによって押し潰された状態とが保持されている。
【００７２】
尚、第１の蓋体１８が閉塞状態においてロックされたときには、同時に、図示しないスライド防止機構によって第１の蓋体１８の下方へのスライドが防止される。
【００７３】
逆に、スライド防止機構によるスライドの防止状態が解除され、第１の開閉部８が閉塞された閉塞状態から第１の蓋体１８を下方へスライドすると第１の蓋体１８のロック状態が解除され、付勢バネ２２の付勢力によって第１の蓋体１８が開放状態まで回動される。
【００７４】
次に、第２の蓋体３０の開閉動作について説明する（図５、図６及び図８参照）。
【００７５】
第２の開閉部９が開放された開放状態から付勢バネ３４の付勢力に抗して第２の蓋体３０を回動していくと、第２の蓋体３０におけるカバー体３１の側部３１ｂ、３１ｂ、３１ｂの先端面が第１の筐体３の後側周状部２３の後面に当接又は近接して位置される。このとき第２の蓋体３０の密閉用突部３２ｃが第２の筐体４の壁部２７に挿入されバッテリー装着孔２６ｂが密閉用突部３２ｃによって閉塞される。
【００７６】
開放状態から第２の蓋体３０が回動されたときには、カバー体３１の側部３１ｂの内面がリブ２５の外面に摺接し、カバー体３１の他の側部３１ｂの内面が第２の筐体４における壁部２７の外面に摺接する。従って、カバー体３１の側部３１ｂの内面がリブ２５の外面に摺接するため第１の筐体３に設けられたリブ２５が第２の筐体４に設けられた壁部２７に押し付けられ、カバー体３１の他の側部３１ｂの内面が第２の筐体４における壁部２７の外面に摺接するため壁部２７がリブ２５に押し付けられる。
【００７７】
このようにリブ２５と壁部２７は互いに押し付けられて両者が密着される方向への締結力が付与され（図８参照）、第２のパッキン２９が配置用凹部２３ａを形成する各面と挿入用突部２６ａの先端面とによって押し潰される。
【００７８】
次いで、カバー体３１を支持体３２に対して上方へスライドさせていくと、ケース体２に設けられたロック部２８ｂ、２８ｂ、２７ａにそれぞれ被ロック部３３、３３、３３の係合片３３ａ、３３ａ、３３ａが係合される。従って、第２の蓋体３０によって第２の開閉部９が閉塞され、第２の蓋体３０が閉塞状態においてロックされる。
【００７９】
第２の蓋体３０が閉塞状態においてロックされたときには、リブ２５と壁部２７に両者が密着される方向への締結力が付与された状態と、第２のパッキン２９が配置用凹部２３ａを形成する各面と挿入用突部２６ａの先端面とによって押し潰された状態とが保持されている。
【００８０】
尚、第２の蓋体３０が閉塞状態においてロックされたときには、同時に、図示しないスライド防止機構によって第２の蓋体３０の下方へのスライドが防止される。
【００８１】
逆に、スライド防止機構によるスライドの防止状態が解除され、第２の開閉部９が閉塞された閉塞状態から第２の蓋体３０を下方へスライドすると第２の蓋体３０のロック状態が解除され、付勢バネ３４の付勢力によって第２の蓋体３０が開放状態まで回動される。
【００８２】
［まとめ］
以上に記載した通り、携帯用電子機器１にあっては、第１の蓋体１８と第２の蓋体３０による第１の開閉部８と第２の開閉部９の閉塞時に第１の蓋体１８と第２の蓋体３０がそれぞれリブ１２、２５に接触されて第１の筐体３と第２の筐体４に両者が密着される方向への締結力が付与され第１のパッキン１７と第２のパッキン２９が第１の筐体３と第２の筐体４によって押し潰される。
【００８３】
従って、第１の筐体３と第２の筐体４のネジ止めを行うことなく又はネジ止めの箇所を増やすことなく防水性及び防塵性を確保することができ、部品点数の増加や作業効率の低下を来すことなく第１の筐体３と第２の筐体４の密閉性の向上を図ることができる。
【００８４】
また、リブ１２、２５がそれぞれ前側周状部１０と後側周状部２３の一部に設けられているため、第１の蓋体１８と第２の蓋体３０からリブ１２、２５に対して付与される力のロスが小さく、防水性及び防塵性を効率よく確保することができる。
【００８５】
尚、リブ１２、２５はそれぞれ前側周状部１０と後側周状部２３に複数設けられていてもよく、また、それぞれ前側周状部１０と後側周状部２３の全周に設けられていてもよい。
【００８６】
さらに、第１の筐体３に第１のパッキン１７と第２のパッキン２９が挿入されて配置される配置用凹部１０ａ、２３ａを形成しているため、第１のパッキン１７と第２のパッキン２９の配置状態の安定化が図られ、第１の筐体３と第２の筐体４の一層の密閉性の向上を図ることができる。
【００８７】
尚、上記には、第１の筐体３に第１のパッキン１７と第２のパッキン２９が挿入されて配置される配置用凹部１０ａ、２３ａを形成した例を示したが、逆に、第２の筐体に第１のパッキン１７と第２のパッキン２９が挿入されて配置される配置用凹部を形成することも可能である。
【００８８】
さらにまた、携帯用電子機器１にあっては、第２の筐体４に配置用凹部１０ａ、２３ａに挿入されて第１のパッキン１７と第２のパッキン２９に押し付けられる挿入用突部１３ａ、２６ａを設けているため、第１のパッキン１７と第２のパッキン２９を容易に押し潰すことができ、第１の筐体３と第２の筐体４の一層の密閉性の向上を図ることができる。
【００８９】
尚、配置用凹部が第２の筐体に形成された場合には、挿入用突部を第１の筐体に設ければよい。
【００９０】
加えて、ケース体２に第１の蓋体１８と第２の蓋体３０を閉塞状態にロックするロック部１５ａ、１６ｂ、２７ａ、２８ｂを設けているため、第１の蓋体１８と第２の蓋体３０の閉塞状態が安定化し、一層の防水性及び防塵性の向上を図ることができる。
【００９１】
尚、リブ１２、２５は樹脂材料と金属材料によって形成されることが望ましく、リブ１２、２５が樹脂材料によって形成された場合には、リブ１２、２５を弾性を用いて撓ませて第２の筐体４に押し付け、第１の筐体３と第２の筐体４の密閉性の向上を図ることが可能である。
【００９２】
一方、リブ１２、２５が金属材料によって形成された場合には、リブ１２、２５の加工精度の向上が図られ、リブ１２、２５の第１の蓋体１８と第２の蓋体３０に対する良好な位置精度を確保することが可能である。
【００９３】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００９４】
【図１】図２乃至図８と共に本発明携帯用電子機器の実施の形態を示すものであり、本図は、携帯用電子機器の斜視図である。
【図２】携帯用電子機器の側面図である。
【図３】第１の蓋体が開放された状態を示す斜視図である。
【図４】第１の蓋体が閉塞された状態を示す拡大断面図である。
【図５】第２の蓋体が開放された状態を示す斜視図である。
【図６】第２の蓋体が閉塞された状態を示す拡大断面図である。
【図７】第１の蓋体が閉塞されたときに第１の筐体と第２の筐体が互いに押し付けられている状態を示す拡大断面図である。
【図８】第２の蓋体が閉塞されたときに第１の筐体と第２の筐体が互いに押し付けられている状態を示す拡大断面図である。
【符号の説明】
【００９５】
１…携帯用電子機器、２…ケース体、３…第１の筐体、４…第２の筐体、８…第１の閉塞部、９…第２の閉塞部、１０ａ…配置用凹部、１２…リブ、１３ａ…挿入用突部、１５ａ…ロック部、１６ｂ…ロック部、１７…第１のパッキン、１８…第１の蓋体、２３ａ…配置用凹部、２５…リブ、２６ａ…挿入用突部、２７ａ…ロック部、２８ｂ…ロック部、２９…第２のパッキン、３０…第２の蓋体
【図１】
2011259279.tif 000003
【図２】
2011259279.tif 000004
【図３】
2011259279.tif 000005
【図４】
2011259279.tif 000006
【図５】
2011259279.tif 000007
【図６】
2011259279.tif 000008
【図７】
2011259279.tif 000009
【図８】
2011259279.tif 000010